(57)【要約】【課題】包布の引っ繰り返し作業を半自動的に行う包布引っ繰り返し装置を提供する。【解決手段】裏返し状態となった布団用包布を元の表返し状態に引っ繰り返すための包布引っ繰り返し装置であって、基台８と、基台８上に設けたブロー口９と、ブロー口９の前部側に設けた包布引っ掛け用アーム１０と、基台８内に設けた送風機と、ブロー口９からの圧縮エアの吹き出し開始及び停止を操作する操作手段とからなり、裏返し状態にある包布１の長手方向一端側を表返しにした状態で包布引っ掛け用アーム１０に引っ掛け、この包布１の引っ掛け端部１ａと反対側の端部１ｂを把持した状態で、ブロー口９から圧縮エアを上記一端側表返し部分１ａ内に吹き込むことにより、包布１を引っ繰り返して全面表返し状態とする。【選択図】図８
2006000156.tif 000002
【特許請求の範囲】
【請求項１】
裏返し状態となった掛け布団用又は敷布団用包布を元の非裏返し状態、即ち表返し状態に戻すように引っ繰り返すための包布引っ繰り返し装置であって、
基台と、基台上の所要部に圧縮エアが上方に吹き出すように設けたブロー口と、基台上にあって、ブロー口の前部側に設けた包布引っ掛け用アームと、基台内にあって、ブロー口に圧縮エアを供給する送風機と、ブロー口からの圧縮エアの吹き出し開始及び停止を操作する操作手段とからなり、裏返し状態にある包布の長手方向一端側を表返しにした状態で包布引っ掛け用アームに引っ掛けると共にその内側をブロー口に臨ませ、この一端側表返し部分とは反対側の端部を把持した状態で、操作手段を操作してブロー口から圧縮エアを上記表返し状態の包布部分内に吹き込むことにより、包布を引っ繰り返して全面表返し状態とするようにした包布引っ繰り返し装置。
【請求項２】
包布引っ掛け用アームは、アーム駆動手段によって、基台上面に対し起立する起立姿勢とこの起立姿勢から前方へ倒れた包布係止姿勢とに姿勢変更自在に構成され、ブロー口からの圧縮エアの吹き出し中は包布係止姿勢に保持され、圧縮エアの吹き出しが停止されると起立するようになっている請求項１に記載の包布引っ繰り返し装置。
【請求項３】
ブロー口は、送風機の送風ダクトとは別個に形成されて、基台の上面に取り外し可能に取り付けられている請求項１又は２に記載の包布引っ繰り返し装置。
【請求項４】
ブロー口の上端開口部は、前後方向に細長い矩形状に形成されている請求項１〜３の何れかに記載の包布引っ繰り返し装置。
【発明の詳細な説明】
【技術分野】
【０００１】
本発明は、裏返し状態となった掛け布団用包布又は敷布団用包布を元の非裏返し状態、即ち表返し状態に戻すように引っ繰り返すための包布引っ繰り返し装置に関するものである。
【背景技術】
【０００２】
図１の(a) は掛け布団用又は敷布団用包布１を裏返しにした状態で示す平面図であり、(b) は(a) のように裏返しにされた包布１を表返しにして本来の使用状態で示す平面図である。(c) は(a) のイ−イ線拡大断面図、(d) は(b) のロ−ロ線拡大断面図、(e) は(a)
のハ−ハ線拡大断面図、(f) は(b) のニ−ニ線拡大断面図、(g) は(a) のホ−ホ線拡大断面図、(h) は(b) のヘ−ヘ線拡大断面図である。この包布１は、(a) から分かるように、矩形状に裁断した２枚の包布生地２，２重ね合わせて、短辺側である前後各側縁部どうしを縫合し（その各縫合部を３で示す）、また長辺側である左右各側縁部の前端部どうし及び後端部どうしを夫々縫合する（その各縫合部を４で示す）ことによって、袋状に形成すると共に、左右各側縁部の前後両端部を除いた分に開口部５を形成したもので、各開口部５では各包布生地２の側縁部を裏側に折り込んで縫合している（その各縫合部を６で示す）。
【０００３】
上記のように縫製される包布１は、図１の(b) に示すような表返しの状態で使用されるもので、左右側縁部にある開口部５の口を大きく広げて掛け布団又は敷布団を入れ、図２の(a) に示すように包み込むようになっている。尚、ホテルや病院等で使用される包布１では、図２の(a) ，(b) に示すように各開口部５の両側縁部に紐７，７を取り付け、また家庭用の包布１では同箇所にジッパーを取り付け、掛け布団又は敷布団を包み込んだ後、その紐７，７を結び、またジッパーによって開口部５を閉じるようになっている。
【発明の開示】
【発明が解決しようとする課題】
【０００４】
図２の(a) に示すように掛け布団や敷布団を包み込んだ包布１を洗濯するのに取り外す時には、その中の布団を丸めるようにしつつ、包布１を裏返しながら剥ぎ取るようにすれば、容易に取り外せることから、その取り外した包布１は、図２の(b) に示すように裏返しの状態となっている。このように裏返された状態のまま、包布１を洗濯すると、裏側よりも汚れ易い表側の汚れが落ち難く、また洗濯の最終仕上げ段階では元の非裏返し状態、即ち表返し状態になっていなければならないことから、裏返しになった包布１を洗濯前に元の表返し状態に引っ繰り返す作業を行っている。
【０００５】
上記のような包布の引っ繰り返し作業は手作業で行っているが、非常に手間がかかり、特にホテルや病院等で使用された包布の洗濯を大量に行うクリーニング業者にあっては、そのような引っ繰り返し作業を一枚一枚手作業で行うと、人件費が非常に高くつくという問題があった。
【０００６】
本発明は、上記のように従来手作業で行っていた包布の引っ繰り返し作業を半自動的に行えて、その作業能率を大幅に向上できる包布引っ繰り返し装置を提供することを目的とする。
【課題を解決するための手段】
【０００７】
上記課題を解決するための手段を、後述する実施形態の参照符号を付して説明すると、請求項１に係る発明は、裏返し状態となった掛け布団用又は敷布団用包布を元の非裏返し状態、即ち表返し状態に戻すように引っ繰り返すための包布引っ繰り返し装置であって、基台８と、基台８上の所要部に圧縮エアが上方に吹き出すように設けたブロー口９と、基台８上にあって、ブロー口９の前部側に設けた包布引っ掛け用アーム１０と、基台８内にあって、ブロー口９に圧縮エアを供給する送風機１１と、ブロー口９からの圧縮エアの吹き出し開始及び停止を操作する操作手段１２とからなり、裏返し状態にある包布１の長手方向一端側１ａを表返しにした状態で包布引っ掛け用アーム１０に引っ掛けると共にその内側をブロー口９に臨ませ、この一端側表返し部分１ａとは反対側の端部１ｂを把持した状態で、操作手段１２を操作してブロー口９から圧縮エアを上記表返し部分１ａ内に吹き込むことにより、包布１を引っ繰り返して全面表返し状態とするようにしたことを特徴とする。
【０００８】
請求項２は、請求項１に記載の包布引っ繰り返し装置において、包布引っ掛け用アーム１０は、アーム駆動手段１４によって、基台８上面に対し起立する起立姿勢とこの起立姿勢から前方へ倒れた包布係止姿勢とに姿勢変更自在に構成され、ブロー口９からの圧縮エアの吹き出し中は包布係止姿勢に保持され、圧縮エアの吹き出しが停止されると起立するようになっていることを特徴とする。
【０００９】
請求項３は、請求項１又は２に記載の包布引っ繰り返し装置において、ブロー口９は、送風機１１の送風ダクト１３とは別個に形成されて、基台８の上面に取り外し可能に取り付けられていることを特徴とする。
【００１０】
請求項４は、請求項１〜３の何れかに記載の包布引っ繰り返し装置において、ブロー口９の上端開口部９ｏは、前後方向に細長い矩形状に形成されていることを特徴とする。
【発明の効果】
【００１１】
上記解決手段による発明の効果を、後述する実施形態の参照符号を付して説明すると、請求項１に係る発明の包布引っ繰り返し装置によれば、裏返し状態にある包布１の長手方向一端側１ａを表返しにした状態で包布引っ掛け用アーム１０に引っ掛けると共にその内側をブロー口９に臨ませ、この一端側表返し部分１ａとは反対側の端部１ｂを把持した状態で操作手段１２を操作してブロー口９から圧縮エアを上記表返し部分１ａ内に吹き込むことにより、裏返し状態にあった包布１が引っ繰り返されて全面的に表返し状態となるから、包布１の引っ繰り返し作業を半自動的に行え、その作業能率を大幅に向上できる。
【００１２】
請求項２に係る発明によれば、包布引っ掛け用アーム１０は、ブロー口９からの圧縮エアの吹き出し中は包布係止姿勢に保持され、吹き出しが停止すると起立姿勢になるから、包布１の長手方向一端部１ａを表返し状態で包布引っ掛け用アーム１０に引っ掛ける際には、このアーム１０が起立姿勢にあるため、包布１の引っ掛け作業が容易となり、また包布１枚分の引っ繰り返し作業が終わると、アーム１０が起立姿勢になるため、包布１の取り出しが容易となる。
【００１３】
請求項３に係る発明によれば、ブロー口９は、送風機１１の送風ダクト１３とは別個に形成されて、基台８上面に取り外し可能に取り付けられるから、包布１の大きさに見合った所望の形状や開口径のものと取り替えて使用できて、包布１の引っ繰り返し作業を有効に行わせることができる。
【００１４】
請求項４に記載のように、ブロー口９の上端開口部９ｏを前後方向に細長い矩形状に形成した場合には、ブロー口９からの圧縮エアが、表返し状態にある包布引っ掛け端部１ａの内側から包布１内部全体の前後方向へ瞬時に行きわたって、前後方向に長い包布１の引っ繰り返し作業をより有効に行わせることができる。
【発明を実施するための最良の形態】
【００１５】
図３は本発明に係る包布引っ繰り返し装置を示す外観斜視図であり、図４の(a) は包布引っ繰り返し装置の縦断側面図、(b) は(a) のト−ト線断面図、(c) はブロー口９の平面図である。これらの図面から分かるように、本発明の包布引っ繰り返し装置は、基台８と、基台８上の中央部に圧縮エアが上方に吹き出すように設けられたブロー口９と、このブロー口９と同じく基台８上にあって、このブロー口９の前部側に設けられ包布引っ掛け用アーム１０と、基台８内にあって、ブロー口９に圧縮エアを供給する送風機１１と、ブロー口９からの圧縮エアの吹き出し開始及び停止を操作する操作手段１２と、からなる。
【００１６】
基台８は、天板８ｏと前後側板８ａ，８ｂと左右側板８ｃ，８ｃと、からなるもので、天板８ｏ上にブロー口９及び包布引っ掛け用アーム１０が設けられている。この基台８は、下端部に取り付けられたキャスター１８によって自由に移動できるようになっている。ブロー口９は、送風機１１の送風ダクト１３とは別個に形成されたもので、下端フランジ９ａを介して天板８ｏの上面に取り外し可能に取り付けられている。このブロー口９は、図３及び図４に示すように、下部側が円筒状を成し、上部側が絞られて、その上端開口部９ｏが前後方向に細長い矩形状に形成されている。
【００１７】
包布引っ掛け用アーム１０は、正面視下向きＵ字状に形成されたもので、図４の(a) に示すように、アーム駆動手段１４によって、天板８ｏの上面に対し垂直に起立する起立姿勢と、この起立姿勢から前方へ略９０°倒れた包布係止姿勢とに姿勢変更自在で、ブロー口９からの圧縮エアの吹き出し中は包布係止姿勢に保持され、その圧縮エアの吹き出しが停止されると起立するようになっている。
【００１８】
上記アーム駆動手段１４は、天板８ｏの前端部に取り付けた取付台１５に回動片１６を枢着し、この回動片１６の上に包布引っ掛け用アーム１０を垂直に固着立設すると共に、この回動片１６に、基台８の内部に設置したエアシリンダ１７のピストンロッド１７ａを枢支連結してなるもので、包布引っ掛け用アーム１０は、ピストンロッド１７ａが収縮した状態で図４の(a) の実線図示のように起立姿勢にあり、この状態からピストンロッド１７ａが伸張作動することにより、前方へ略々９０°回倒して、同図(a) の仮想線図示のように包布係止姿勢となる。
【００１９】
また図４の(a) 及び(b) に示すように、基台８の内部に設置された送風機１１の送風ダクト１３は、垂直上方に延びて、その先端部が天板８ｏを貫通してブロー口９内に突入している。この送風ダクト１３に、ブロー口９からの圧縮エアの吹き出し開始及び停止を操作する操作手段１２が設けられている。尚、送風機１１は、例えば、基台８の側板８ｃに設けてある電源スイッチ２８を押す（オン操作）ことによって起動し、もう１回押す（オフ操作）ことによって停止するようになっている。
【００２０】
この操作手段１２は、送風ダクト１３内に設けた開閉弁１９を開閉させることにより、ブロー口９からの圧縮エアの吹き出しを開始し、またその圧縮エアの吹き出しを停止するようにしたもので、図４の(a) 及び(b) に示すように、送風ダクト１３を直径方向に貫通してケーシング２１に軸架されている開閉弁１９の回転支軸２０にクランクアーム２２を一体回転可能に連結し、このクランクアーム２２にエアシリンダ２３のピストンロッド２３ａを枢支連結している。
【００２１】
しかして、図４の(b) から分かるように、エアシリンダ２３のピストンロッド２３ａが例えば収縮した時、開閉弁１９が同図の点線図示のように閉弁位置にあると、このピストンロッド２３ａを伸張作動させることによって、開閉弁１９は同図の点線図示から９０°回転して開弁し（図４(a) の仮想線図示の状態）、送風機１１からの圧縮エアを送風ダクト１３を通じてブロー口９から吹き出させ、またピストンロッド２３ａを収縮作動させると、開閉弁１９が９０°回転して図４(b) の点線図示のように閉弁し、それにより送風ダクト１３内でエアの送風を阻止して、ブロー口９からの圧縮エアの吹き出しを停止させるようになっている。
【００２２】
図５は操作手段１２のエアシリンダ２３及びアーム駆動手段１４のエアシリンダ１７の制御回路を概略的に図示したもので、両エアシリンダ１７，２３には同じ圧縮エア供給源２４から圧縮エアが供給される。この図５において、２５は圧縮エア供給源２４からアーム駆動手段１４のエアシリンダ１７に至る回路に設けた電磁切換弁、２６は操作手段１２のエアシリンダ２３に至る回路に設けた電磁切換弁である。また２７は、電線２９により電磁切換弁２５，２６のソレノイドに電気的に接続されていて、そのソレノイドに対する通電をオン・オフするためのフットスイッチで、図６及び図７に示すように基台８の後部側に配置される。
【００２３】
従って、いま、フットスイッチ２７の一方の踏板（ＯＮ）ａを踏むと、電磁切換弁２５，２６のソレノイドに夫々通電されて、両電磁切換弁２５，２６は夫々図５に示す状態となり、それにより圧縮エア供給源２４から圧縮エアはエアシリンダ１７，２３の夫々ヘッド側室に供給され、エアシリンダ１７のピストンロッド１７ａが伸張作動して、包布引っ掛け用アーム１０が起立姿勢から包布係止姿勢になり、そしてエアシリンダ２３のピストンロッド２３ａが伸張作動して送風ダクト１３の開閉弁１９が開弁し、送風機１１からの圧縮エアがブロー口９から吹き出すことになる。この場合、フットスイッチ２７の踏板ａを踏むことにより、包布引っ掛け用アーム１０が起立姿勢から包布係止姿勢になるのと同時に圧縮エアがブロー口９から吹き出すように設定してもよいが、好ましくは、ブロー口９からの圧縮エアの吹き出しよりも、包布引っ掛け用アーム１０が包布係止姿勢になるのが僅かに早くなるように設定するのがよい。
【００２４】
また、フットスイッチ２７の他方の踏板（ＯＦＦ）ｂを踏むと、電磁切換弁２５，２６のソレノイドへの通電が停止されて、両電磁切換弁２５，２６は夫々位置が切り換わり、それによって圧縮エア供給源２４から圧縮エアはエアシリンダ１７，２３の夫々ロッド側室に供給されるから、エアシリンダ１７のピストンロッド１７ａは収縮作動して、包布引っ掛け用アーム１０が包布係止姿勢から起立姿勢となり、エアシリンダ２３のピストンロッド２３ａも収縮作動して、送風ダクト１３の開閉弁１９が閉弁し、ブロー口９からの圧縮エアの吹き出しが停止される。尚、閉弁１９が閉弁した時、送風ダクト１３内が異常高圧となるのを防止するために、送風ダクト１３内には減圧弁（図示せず）が設けられていて、一定圧以上の圧力を逃がすようにしている。
【００２５】
次に、上記のように構成される包布引っ繰り返し装置を使用して、裏返し状態となった包布１を非裏返し状態、即ち表返し状態に引っ繰り返す、引っ繰り返し作業について図６〜図８を参照しながら説明する。
【００２６】
先ず、電源スイッチ２８をオン操作して送風機１１を起動させた後、作業者Ｍは、図２の(b) に示すように裏返し状態となっている包布１の長手方向一端側１ａを表返しにした状態で包布引っ掛け用アーム１０に引っ掛けると共に、この一端側表返し部分１ａの内側をブロー口９の開口部９ｏに臨ませ、しかしてこの一端側表返し部分１ａとは反対側の端部１ｂを両手で把持し、図６及び図８の(a) に示すような状態とする。尚、包布１が全面的に裏返し状態になっておらず、その長手方向一端部１ａがたまたま表返し状態になっている場合は、その表返しになっている一端部１ａをアーム１０に引っ掛けると共に、その一端側表返し部分１ａの内側をブロー口９に臨ませるようにすればよい。
【００２７】
図６及び図８の(a) に示すような状態から、作業者Ｍが図７に示すように一方の足でフットスイッチ２７の一方の踏板（オン）ａを踏むと、包布引っ掛け用アーム１０が起立姿勢から包布係止姿勢となり、ブロー口９から圧縮エアが吹き出す。このブロー口９から吹き出した圧縮エアが表返し状態にある包布部分１ａ内に吹き込まれるため、包布１はその圧縮エアで上方へ吹き上げられて、恰も気球が下方から吹き込まれるガスによって急速に膨らんで舞い上がるときのような状態（図７及び図８(b) 参照）となり、これによって裏返し状態にあった包布１は全面的に表返し状態に引っ繰り返されることになる。この時、作業者Ｍが把持している包布１の端部１ｂ部分も瞬時に表返し状態となるから、その把持している手を自然に放すようにすればよい。
【００２８】
こうして、包布１が圧縮エアにより上方へ吹き上げられて裏返し状態から全面表返し状態に引っ繰り返された時点で、作業者Ｍは、他方の足でフットスイッチ２７の他方の踏板（ＯＦＦ）ｂを踏めば、ブロー口９からの圧縮エアの吹き出しが停止し、包布引っ掛け用アーム１０が包布係止姿勢から起立姿勢に戻り、しかして包布１は、全面表返しに引っ繰り返された状態で基台８上に横たわるような状態となり、１枚目の包布１の引っ繰り返し作業が終了する。１枚の包布１の引っ繰り返し作業時間は概ね３〜４秒程度である。
【００２９】
上記のようにして１枚目の包布１の引っ繰り返し作業が終了すれば、裏返し状態となった次の包布１を基台８上にセットして、図６〜図８によって説明した上記と同様な要領によって引っ繰り返し作業を行う。こうして、夫々裏返し状態となった何百枚もの包布１を本発明に係る包布引っ繰り返し装置によって半自動的に短時間で表返し状態にすることができる。
【００３０】
以上説明した実施形態の包布引っ繰り返し装置では、包布引っ掛け用アーム１０は、アーム駆動手段１４によって起立姿勢と包布係止姿勢とに姿勢変更自在に構成されて、ブロー口９からの圧縮エアの吹き出し中は包布係止姿勢に保持され、その圧縮エアの吹き出しが停止されると起立するようになっているが、このアーム１０は、常に包布係止姿勢に固定された状態の固定式としてもよい。しかしながら、実施形態のような構成とすれば、包布１の長手方向一端部１ａを表返し状態で包布引っ掛け用アーム１０に引っ掛ける際に、このアーム１０が起立姿勢にあるため、包布１の引っ掛け作業が容易となり、また包布１枚分の引っ繰り返し作業が終われば、アーム１０が起立姿勢になるため、包布１の取り出しが容易となる。
【００３１】
また、上述した実施形態では、ブロー口９からの圧縮エアの吹き出し開始及び停止を操作する操作手段１２は、送風ダクト１３内に設けた開閉弁１９を開閉させることによってブロー口９からの圧縮エアの吹き出しを開始し、またその圧縮エアの吹き出しを停止するものとしたが、送風機１１を起動させることによってブロー口９からの圧縮エアの吹き出しを開始し、また送風機１１を起動を停止することによって圧縮エアの吹き出しを停止するようにしたものでもよい。
【００３２】
また、上述した実施形態では、ブロー口９は、送風機１１の送風ダクト１３とは別個に形成されて、基台８上面に取り外し可能に取り付けられるから、包布１の大きさに見合った所望の形状、大きさ、開口径のものと適宜に取り替えて使用することにより、包布１の引っ繰り返し作業を有効に行わせることができる。また、ブロー口９の上端開口部９ｏを前後方向に細長い矩形状に形成したことにより、ブロー口９からの圧縮エアが、表返し状態にある包布引っ掛け端部１ａの内側から包布１内部全体の前後方向へ瞬時にゆきわたって、前後方向に長い包布１の引っ繰り返し作業をより有効に行わせることができる。
【図面の簡単な説明】
【００３３】
【図１】(a) は掛け布団用又は敷布団用包布を裏返しにした状態で示す平面図、(b)は(a) のように裏返し上位の包布を表返しにした本来の使用状態で示す平面図、(c) は(a) のイ−イ線拡大断面図、(d) は(b) のロ−ロ線拡大断面図、(e) は(a) のハ−ハ線拡大断面図、(f) は(b) のニ−ニ線拡大断面図、(g) は(a) のホ−ホ線拡大断面図、(h) は(b) のヘ−ヘ線拡大断面図である。
【図２】(a) は掛け布団又は敷布団を包んだ状態の包布を示す斜視図、(b) は掛け布団又は敷布団から剥ぎ取って裏返し状態となった包布を示す斜視図である。
【図３】本発明に係る包布引っ繰り返し装置を示す外観斜視図である。
【図４】(a) は包布引っ繰り返し装置の縦断側面図、(b) は(a) のト−ト線断面図、(c) はブロー口を示す平面図である。
【図５】操作手段のエアシリンダ及びアーム駆動手段のエアシリンダの制御回路図である。
【図６】包布を包布引っ繰り返し装置にセットした状態を示す斜視図である。
【図７】装置の作動により包布を引っ繰り返している状態を示す斜視図である。
【図８】(a) は図６と同じ状態を示す側面図、(b) は図７と同じ状態を示す側面図である。
【符号の説明】
【００３４】
１            包布
８            基台
９            ブロー口
９ｏ          上端開口部
１０          包布引っ掛け用アーム
１１          送風機
１２          操作手段
１４          アーム駆動手段
【図１】
2006000156.tif 000003
【図２】
2006000156.tif 000004
【図３】
2006000156.tif 000005
【図４】
2006000156.tif 000006
【図５】
2006000156.tif 000007
【図６】
2006000156.tif 000008
【図７】
2006000156.tif 000009
【図８】
2006000156.tif 000010